(57)【要約】【課題】小型にかつ構造簡素にしてロールペーパーの交換が迅速にできるロールペーパーホルダーを得る。【解決手段】巻出しロールペーパー（２５−１）を横向きに収容するとともに、正面側にペーパー引出し口（２ａ）を有するホルダー本体（２）を設け、該ホルダー本体（２）の一側に前記巻出しロールペーパー（２５−１）を回転自在に保持する保持軸（６）を傾倒可能に片持ち支持し、複数の予備ロールペーパー（２５−２〜２５−４）が上下に並列収容できる収容ケース（１５）を前記ホルダー本体（２）の他側に一体的に設けるとともに、該収容ケース（１５）の下部側壁に収容ケース（１５）に収容した最下段の予備ロールペーパー（２５−２）が前記ホルダー本体（２）方向に移動できる横孔（１９）を設け、前記収容ケース（１５）の底部に最下段の予備ロールペーパー（２５−２）をホルダー本体（２）方向に案内する受けガイド（１８）を設ける。【選択図】      図１
2005137753.tif 000002
【特許請求の範囲】
【請求項１】
巻出しロールペーパー（２５−１）を横向きに収容するとともに、正面側にペーパー引出し口（２ａ）を有するホルダー本体（２）を設け、該ホルダー本体（２）の一側に前記巻出しロールペーパー（２５−１）を回転自在に保持する保持軸（６）を傾倒可能に片持ち支持し、複数の予備ロールペーパー（２５−２〜２５−４）が上下に並列収容できる収容ケース（１５）を前記ホルダー本体（２）の他側に一体的に設けるとともに、該収容ケース（１５）の下部側壁に収容ケース（１５）に収容した最下段の予備ロールペーパー（２５−２）が前記ホルダー本体（２）方向に移動できる横孔（１９）を設け、前記収容ケース（１５）の底部に最下段の予備ロールペーパー（２５−２）をホルダー本体（２）方向に案内する受けガイド（１８）を設けたことを特徴とするロールペーパーホルダー。
【請求項２】
収容ケース（１５）の下部に該収容ケース（１５）に収容した最下段の予備ロールペーパー（２５−２）の下部が露出する操作孔（２０）を設けたことを特徴とする請求項１記載のロールペーパーホルダー。
【請求項３】
巻出しロールペーパー（２５−１）をたて向きに収容するとともに、側部にペーパー引出し口（４３）を有するホルダー本体（３２）を設け、該ホルダー本体（３２）の底部に巻出しロールペーパー（２５−１）を回転自在に保持する保持軸（３３）を傾倒可能に起立支持し、複数の予備ロールペーパー（２５−２〜２５−４）が上下に直列収容できる収容ケース（４５）を前記ホルダー本体（３２）の上部に一体的に設けるとともに、該収容ケース（４５）の底部を開口させ、前記収容ケース（４５）の側部に最下段の予備ロールペーパー（２５−２）を受ける受け具（４９）と、下から２番目の予備ロールペーパー（２５−３）の落下を規制する規制具（５０）とを設けるとともに、前記受け具（４９）と規制具（５０）とを交互に作動させる連動具（４７）を設けたことを特徴とするロールペーパーホルダー。
【請求項４】
ホルダー本体（３２）のペーパー引出し口（４３）部にカバー（３６）を上下軸心を中心として回動可能に設けるとともに、該カバー（３６）の回動端縁を回動端方向に向かって下り傾斜する斜辺（３６ａ）としたことを特徴とする請求項３記載のロールペーパーホルダー。
【発明の詳細な説明】
【技術分野】
【０００１】
本発明は、同心状に巻かれたトイレットペーパー、ペーパータオル等のロールペーパーが迅速かつ容易に交換できるロールペーパーホルダーに関するものである。
【背景技術】
【０００２】
従来の技術として、固定基板の一端側前面にロールペーパーの保持軸を有するホルダー本体を左右移動可能に設け、上記固定基板の他端側に複数の予備ロールペーパーが上下に並列収容できる収容ケースを一体的に設け、上記ホルダー本体を左右方向に往復動させることにより、その保持軸を介して上記収容ケース最下段に位置する予備ロールペーパーを取り出すようにしたロールペーパーホルダーがあった。
【特許文献１】特開平７−１９４４９９号公報
【発明の開示】
【発明が解決しようとする課題】
【０００３】
上記従来のものは、保持軸を片持ち支持したホルダー本体を左右方向に移動させて収容ケース内の予備ロールペーパーを取り出すようにしていたので、ホルダー本体が反収容ケース方向に移動した際に保持軸と収容ケースとの間に使用済みロールペーパーの芯筒が保持軸から取り外せるための空間部を形成する必要がある。このため上記従来のものはホルダー本体の左右移動量を大きくする必要があり、大型になるものであった。さらに、ホルダー本体を左右方向に移動させるため、部品点数及び構造が複雑になって高価になるものであった。本発明は、上記不具合いを解消した新規なロールペーパーホルダーを得ることを目的とする。
【課題を解決するための手段】
【０００４】
本発明は、上記目的を達成するために以下の如く構成したものである。即ち、請求項１に係る発明は、巻出しロールペーパーを横向きに収容するとともに、正面側にペーパー引出し口を有するホルダー本体を設け、該ホルダー本体の一側に前記巻出しロールペーパーを回転自在に保持する保持軸を傾倒可能に片持ち支持し、複数の予備ロールペーパーが上下に並列収容できる収容ケースを前記ホルダー本体の他側に一体的に設けるとともに、該収容ケースの下部側壁に収容ケースに収容した最下段の予備ロールペーパーが前記ホルダー本体方向に移動できる横孔を設け、前記収容ケースの底部に最下段の予備ロールペーパーをホルダー本体方向に案内する受けガイドを設ける構成にしたものである。
請求項２に係る発明は、前記収容ケースの下部に該収容ケースに収容した最下段の予備ロールペーパーの下部が露出する操作孔を設けたものである。
請求項３に係る発明は、巻出しロールペーパーをたて向きに収容するとともに、側部にペーパー引出し口を有するホルダー本体を設け、該ホルダー本体の底部に巻出しロールペーパーを回転自在に保持する保持軸を傾倒可能に起立支持し、複数の予備ロールペーパーが上下に直列収容できる収容ケースを前記ホルダー本体の上部に一体的に設けるとともに、該収容ケースの底部を開口させ、前記収容ケースの側部に最下段の予備ロールペーパーを受ける受け具と、下から２番目の予備ロールペーパーの落下を規制する規制具とを設けるとともに、前記受け具と規制具とを交互に作動させる連動具を設ける構成にしたものである。
請求項４に係る発明は、前記ホルダー本体のペーパー引出し口部にカバーを上下軸心を中心として回動可能に設けるとともに、該カバーの回動端縁を回動端方向に向かって下り傾斜する斜辺としたものである。
【発明の効果】
【０００５】
請求項１に係る発明は、収容ケースに収容した最下段の予備ロールペーパーをホルダー本体方向に移動させると、該ロールペーパーがホルダー本体に設けた保持軸に回転自在に支持され、ホルダー本体からのペーパー巻出しが円滑に行なわれることになる。また、上記ホルダー本体側のロールペーパーが消費された際には、上記保持軸を傾倒させてその傾動端部を収容ケースの外側に移動させることによって、使用済みロールペーパーの芯筒を上記保持軸から容易に取り出すことができる。このため、ホルダー本体と収容ケースとを左右に接近させて小型にすることができるとともに、構造が簡素になる。
請求項２に係る発明は、前記収容ケースの下部に設けた操作孔を通して該収容ケース内の最下段の予備ロールペーパーを指で挟むことができ、該予備ロールペーパーをホルダ本体方向に容易に移動させることができる。
請求項３に係る発明は、受け具を解除方向に作動させると、規制具が連動具を介して規制方向に作動され、これにより、収容ケース内の最下段の予備ロールペーパーがホルダー本体側に落下して保持軸に回転自在に支持されると同時に、下から２番目の予備ロールペーパーの落下が阻止されることになる。次いで、受け具を受け方向に作動させると、規制具が連動具を介して解除方向に作動され、これにより、上記下から２番目の予備ロールペーパーが受け具に向かって落下し、該受け具によって保持軸の直上方に位置決めされることになる。これにより、ホルダー本体からのペーパー巻出しが円滑に行なわれることになる。また、上記ホルダー本体側のロールペーパーが消費された際には、保持軸を傾倒させてその傾動端部を収容ケースの外側に移動させることによって、使用済みロールペーパーの芯筒を上記保持軸から容易に取り出すことができる。このため、ホルダー本体と収容ケースとを上下に接近させて小型にすることができるとともに、構造が簡素になる。
請求項４に係る発明は、カバーの斜辺部でホルダー本体側のロールペーパーから引き出したペーパー片の基部を押え、該ペーパー片の先端側を引っ張ると、ペーパー片がカバーの斜辺に沿って切断され、所定長さのペーパー片を容易に得ることができる。
【発明を実施するための最良の形態】
【０００６】
以下、本発明の実施の形態を図面に基いて説明する。図面において、図１は本発明の第１実施例を示す斜視図、図２は使用済みロールペーパーの芯筒取り外し状態を示す斜視図、図３は保持軸取り付け部の拡大断面正面図、図４は保持軸取り付け部の他の例を示す拡大断面正面図、図５は本発明の第２実施例を示す正面図、図６は図５のVI-VI拡大断面図、図７は図５のVII- VII拡大断面図、図８は図５のＡ部拡大断面図である。
【０００７】
図１において、１はロールペーパーホルダーであり、１個のロールペーパー２５（２５−１）を横向きにして巻き出し可能に支持するホルダー本体２と、その側部に複数の予備ロールペーパー２５−２〜２５−４を横向きに重ねて収容する収容ケース１５とを一体に有する。３はロールペーパーホルダー１の背板であり、本例では木製板により形成されている。該背板３は左部に略正方形状のホルダー背板３ａを、右部にホルダー背板３ａに対して上方に延びる長方形状のケース背板３ｂを一体に有し、複数箇所に屋内の壁等に取り付けるための止め孔４が形成されている。
【０００８】
上記ホルダー背板３ａにホルダー本体２を取り付ける。即ち、ホルダー背板３ａの左端に正方形状の側板５を前方に向けて突出固定し、該側板５の面中心部に保持軸６を左方に向けて傾倒可能に片持ち支持する。この保持軸６は図３に示すようになっている。即ち、側板５の面中心部にボルト７を左方から着脱可能に挿通してその右端を側板５から若干右方に突出させ、このボルト７の右端部に密着巻きしたコイルスプリングからなる保持軸６の左端部をねじ込み、該保持軸６を水平に片持ち支持する。これにより、保持軸６がボルト７の右端部を基点として前後あるいは上下に湾曲できるようにする。２ａはホルダー本体２の正面側に形成したロールペーパー２５（２５−１）の芯筒２５ａの取り出し、及び該ロールペーパー２５（２５−１）のペーパー引出し口をなす開口である。
【０００９】
図４は上記保持軸６の他の例を示す。即ち、側板５の面中心部に鍔付きの短尺な支持筒８を左方から着脱可能に挿通し、該支持筒８に弾性を有するゴム、合成樹脂等の弾性体９を圧入するとともに該弾性体９の右端部を側板５から若干右方に突出させ、この突出端部に金属製筒、プラスチック製筒等、筒体からなる保持軸６−１を圧入し、該保持軸６−１を水平に片持ち支持する。これにより、保持軸６−１が弾性体９を介して支持筒８の右端部を基点として前後あるいは上下に屈曲できるようにする。なお、上記保持軸６，６−１の長さは使用するロールペーパー２５の芯筒２５ａの長さよりも若干短くし、また、保持軸６，６−１の径は上記芯筒２５ａの内径よりも小さくする。上記ホルダー背板３ａの上部にカバー１０を蝶番（又はピン）１１を介して上下揺動可能に取り付け、該カバー１０により上記保持軸６，６−１に回転自在に保持された巻出しロールペーパー２５−１の上面を包囲する。
【００１０】
前述したケース背板３ｂに収容ケース１５を取り付ける。この収容ケース１５は、図１、図２に示すようになっている。即ち、金属製あるいはプラスチック製の板を溝形に屈曲形成し、その開放側を上記ケース背板３ｂに向けるとともに、右側壁１５ａの開放端（後端）を蝶番１６によりケース背板３ｂの右端に上下軸心を中心として回動（開閉）可能に取り付け、左側壁１５ｂの開放端（後端）を止めねじ１７によりケース背板３ｂの左端に係脱可能に係止する。ロールペーパーホルダー１を屋内の壁等に取り付ける際には、上記収容ケース１５を開き、背板３の止め孔４に止めねじ等の止め具を差し込んで屋内の壁等に取り付ける。
【００１１】
上記収容ケース１５は、本例では３個の予備ロールペーパー２５−２〜２５−４を水平に向けて上下に並列収容できる容積（高さ）とし、底部側に最下段の予備ロールペーパー２５−２を受ける樋状の受けガイド１８を取り付ける。上記左側壁１５ｂの下部を除去して上記受けガイド１８との間に横孔１９を形成し、該横孔１９を通して収容ケース１５に収容した最下段の予備ロールペーパー２５−２が前記ホルダー本体２方向に移動できるようにする。なお、上記収容ケース１５は３個以上の予備ロールペーパーが収容できる容積（高さ）にしてもよい。上記受けガイド１８は収容ケース１５の底部からホルダー本体２の側板５底部まで延長させている。この受けガイド１８は収容ケース１５の底部のみとしてもよい。
【００１２】
上記収容ケース１５の右側壁１５ａ及び正面壁１５ｃの下部を除去し、上記横孔１９の上下開口量よりも小さい開口量をなす操作孔２０を形成し、該操作孔２０により最下段の予備ロールペーパー２５−２の下部を外部に露出させるとともに、この操作孔２０から指が差し込めるようにする。これにより、上記最下段の予備ロールペーパー２５−２を指で挟んでホルダ本体２方向に移動できるようにする。また、左側壁１５ｂ  の上下中間部にホルダー本体２側のカバー１０が係脱可能なストッパー２１を取り付け、カバー１０を大きく開いた際に該ストッパー２１により開けたカバー１０を保持し、使用済みロールペーパー２５−１の芯筒２０ａが保持軸６から容易に取り出せるようにするとともに、収容ケース１５内の最下段の予備ロールペーパー２５−２がホルダー本体２方向に向けて容易に移動できるようにする。
【００１３】
上記収容ケース１５の上部に天板蓋２２を開閉可能に取り付け、該天板蓋２２を開いて予備のロールペーパー２０を収容ケース１５内に収容する。２３は天板蓋２２を収容ケース１５に開閉可能に取り付ける蝶番である。図１、図２において２４は収容ケース１５の正面板１５ｃに設けた透視窓であり、スリット又は透明板により形成され、収容ケース１５内の予備ロールペーパー２５−２〜２５−４の有無が確認できるようになっている。
【００１４】
上記第１実施例によれば、ホルダー本体２の一側に設ける保持軸６（６−１）を傾倒可能にしたので、図２に示すように、保持軸６の右端部を収容ケース１５の外側に向くように傾倒させると、使用済みロールペーパーの芯筒２５ａが保持軸６から容易に取り出せることになる。これにより、ホルダー本体２の側部に収容ケース１５を接近させ、ロールペーパーホルダー１を小型にすることができる。
【００１５】
また、上記保持軸６を左右直線状に延在させ、収容ケース１５に収容した最下段の予備ロールペーパー２５−２をホルダー本体２方向に移動させると、該ロールペーパー２５−２が上記保持軸６に嵌合することになり、予備ロールペーパー２５−２の取り付けが迅速に行えることになる。この場合、収容ケース１５の下部に操作孔２０を設けたので、この操作孔２０を通して上記最下段の予備ロールペーパー２５−２を指で挟むことができ、該予備ロールペーパー２５−２をホルダ本体２方向に容易に移動させることができる。
【００１６】
図５は第２実施例を示す。図５において、３０はロールペーパーホルダー、３１はその本体である。該本体３１は本例では板金材により形成され、下部側に１個の巻き出しロールペーパー２５（２５−１）をたて向きにして巻き出し可能に支持するホルダー本体３２と、上部側に複数の予備ロールペーパー２５−２〜２５−４をたて向きに重ねて収容する角筒状の収容ケース４５とを一体に有する。なお、上記収容ケース４５は円筒状にしてもよい。
【００１７】
上記ホルダー本体３２は、本体３１の背板を下方に延長させた板状の支持板３２ａの下端に棚板３２ｂを正面方向に向けて突出固定するとともに、該棚板３２ｂの面中心部に保持軸３３を傾倒可能に起立固定し、正面及び左右にロールペーパー２５（２５−１）の芯筒２５ａの取り出し及び該ロールペーパー２５（２５−１）のペーパー引出し口をなす開口４３を形成する。上記保持軸３３に円板状の回転受け体３５を回転可能に嵌合させて上記棚板３２ｂの上面に載置する。なお、この回転受け体３５は省略してもよい。上記保持軸３３は図２、図３に記載したものと略同様になっている。即ち、棚板３２ｂの面中心部にボルト３４を下方から着脱可能に挿通してその上端を棚板３２ｂから若干上方に突出させ、該ボルト３４の突出端部に密着巻きしたコイルスプリングからなる保持軸３３の下端部をねじ込み、該保持軸３３を鉛直に起立支持する。これにより、保持軸３３がボルト３４の上端部を基点として前後あるいは左右に湾曲できるようにする。
【００１８】
上記収容ケース４５は、本例では３個の予備ロールペーパー２５−２〜２５−４を上下に向けて上下直列に収容できる容積（高さ）とし、上下面を開口させ、上面は天板蓋５２により開閉する。上記収容ケース４５内の右部コーナー部に連動具をなす縦軸４７を上下に延長配置するとともに、その上下端部を軸受４８，４８により回転可能に支持する。上記縦軸４７の下部に最下段の予備ロールペーパー２５−２を受ける板状の受け具４９を固定し、また、上記縦軸４７の上端部に下から２番目の予備ロールペーパー２５−３の落下を規制する板製の規制具５０を固定する。
【００１９】
上記受け具４９と規制具５０とは、図６の実線で示すように円周方向の位相をずらせて縦軸４７に固定される。即ち、受け具４９の先端部（内端部）が収容ケース４５内のロールペーパー２５（２５−２）に対して干渉する（受け止める）位置の状態において、規制具５０が上記ロールペーパー２５（２５−３）に対して若干離間する位置となるように円周方向の位相をずらせる。これにより、受け具４９を解除方向（図６の仮想線）に作動させると、規制具５０が連動具、つまり縦軸４７を介して規制方向（図６の仮想線）に作動され、収容ケース４５内の最下段の予備ロールペーパー２５−２がホルダー本体３２側に落下して保持軸３３の芯筒２５ａに嵌合し、回転受け板３５を介して棚板３２ｂに支持される。同時に下から２番目の予備ロールペーパー２５−３が規制具５０により横方向に押されて該規制具５０と摩擦係合し、その落下が阻止されることになる。４９ａは受け具４９を縦軸４７に連結するアーム４９ａである。
【００２０】
次いで、図６の実線で示すように、受け具４９を受け方向に作動させると、規制具５０が連動具４７を介して解除方向に作動され、これにより、上記下から２番目の予備ロールペーパー２５−３が受け具４９に向かって落下し、受け具４９によって保持軸３３の直上方で受け止められる。４６は上記受け具４９を受け方向に移動させるとともに、規制具５０を解除方向に移動させるバネであり、図６、図８に示すように、縦軸４７の下部を棚板３２ｂから下方に突出させ、該縦軸４７の下端部に前方に向けて突出固定した回動アーム４６ａと棚板３２ｂの下面に取り付けた係止ピン４６ｂとの間に係止し、該バネ４６の反力により縦軸４７を介して上記受け具４９を受け方向にかつ規制具５０を解除方向に移動付勢する。５１は受け具４９に形成した摘まみであり、使用者はこの摘まみ５１を持って受け具４９及び規制具５０を所定方向に作動させる。
【００２１】
前述したホルダー本体３２の開口４３部にカバー３６を取り付ける。このカバー３６は、図５、図７に示すように、回動側の端縁が左方に向かって下り傾斜する斜辺３６ａを有する正面視三角形状に形成され、その右端部を縦軸４７の下部に回転可能に嵌合せた軸筒３７に連結するとともに、図７に示すように、回動支点部に復帰ばね４２を取付けて該カバー３６を内方（図７において左方）に回動付勢する。これにより、カバー３６の前部（図７において下部）をホルダー本体３２側の巻出しロールペーパー２５−１に弾圧接触させ、該巻出しロールペーパー２５−１の巻き出し端部のほぐれを防止するとともに、巻き出したペーパー片を強く引っ張った祭には、該ペーパー片がカバー３６の斜辺３６ａに沿って円滑に切断できるようにする。
【００２２】
また、棚板３２ｂの前部右部の角部にストッパー３８を取付ける。該ストッパー３８は図８に示すように、棚板３２ｂに取り付けたボールケース３９にボール３８ａを収容し、該ボール３８ａを押圧ばね４０により上方に押圧してその上部をボールケース３９から上方に突出させてなる。これにより、カバー３６を前方に向けて大きく開くと、図７の仮想線で示すように、該カバー３６が上記ボール３８ａを押し下げてこの部を通過し、その後ボール３８ａが押圧ばね４０により上方に突出させてカバー３６の下縁部に係合し、該カバー３６を開いた状態に保持する。該カバー３６が開かれた状態に保持されると、使用済みロールペーパーの芯筒２５ａの保持軸３３からの取り出し、及び収容ケース４５からの予備ロールペーパー２５−２の保持軸３３への嵌合が円滑にできることになる。４１はボールケース３９を棚板３２ｂに取り付ける止めねじである。
【００２３】
上記第２実施例によれば、受け具４９を解除方向に作動させると、規制具５０が連動具４７を介して規制方向に作動され、これにより、収容ケース４５内の最下段の予備ロールペーパー２５−２がホルダー本体３２側に落下して保持軸３３に回転自在に支持されると同時に、下から２番目の予備ロールペーパー２５−３の落下が阻止されることになる。次いで、受け具４９を受け方向に作動させると、規制具５０が連動具４７を介して解除方向に作動され、これにより、上記下から２番目の予備ロールペーパー２５−３が受け具４９に向かって落下し、該受け具４９によって保持軸３３の直上方に位置決めされることになる。これにより、ホルダー本体３２からのペーパー巻出しが円滑に行なわれることになる。また、上記ホルダー本体３２側のロールペーパー２５−１が消費された際には、保持軸３３を傾倒させてその傾動端部を収容ケース４５の外側に移動させることによって、使用済みロールペーパーの芯筒２５ａを上記保持軸３３から容易に取り出すことができる。このため、ホルダー本体３２と収容ケース４５とを上下に接近させて小型にすることができるとともに、構造が簡素になる。
また、カバー３６の斜辺３６ａ部でホルダー本体３２側のロールペーパー２５−１から引き出したペーパー片の基部を押え、該ペーパー片の先端側を強く引っ張ると、ペーパー片がカバー３６の斜辺３６ａに沿って切断され、所定長さのペーパー片を容易に得ることができる。
【図面の簡単な説明】
【００２４】
【図１】本発明の第１実施例を示す斜視図である。
【図２】使用済みロールペーパーの芯筒取り外し状態を示す斜視図である。
【図３】保持軸取り付け部の拡大断面正面図である。
【図４】保持軸取り付け部の他の例を示す拡大断面正面図である。
【図５】本発明の第２実施例を示す正面図である。
【図６】図５のVI-VI拡大断面図である。
【図７】図５のVII- VII拡大断面図である。
【図８】図５のＡ部拡大断面図である。
【符号の説明】
【００２５】
１    ロールペーパーホルダー
２    ホルダー本体
２ａ  開口
３    背板
３ａ  ホルダー背板
３ｂ  ケース背板
４    止め孔
５    側板
６，６−１    保持軸
７    ボルト
８    支持筒
９    弾性体
１０    カバー
１１    蝶番
１５    収容ケース
１５ａ  右側板
１５ｂ  左側板
１５ｃ  正面板
１６    蝶番
１６    止めネジ
１８    受けガイド
１９    蝶番
２０    操作孔
２１    ストッパー
２２    天板蓋
２３    蝶番
２４    透視窓
２５    ロールペーパー
２５ａ  芯筒
２５−１    巻き出しロールペーパー
２５−２〜２５−４    予備ロールペーパー
３０    ロールペーパーホルダー
３１    本体
３２    ホルダー本体
３２ａ  支持板
３２ｂ  棚板
３３    保持軸
３４    ボルト
３５    回転受け板
３６    カバー
３６ａ  斜辺
３７    軸筒
３８    ストッパー
３８ａ  ボール
３９    ボールケース
４０    押圧ばね
４１    止めねじ
４２    復帰ばね
４３    開口
４５    収容ケース
４５ａ  右側板
４６    バネ
４６ａ  回動アーム
４６ｂ  係止ピン
４７    縦軸（連結具）
４８    軸受
４９    受け具
５０    規制具
５１    摘まみ
５２    天板蓋
【図１】
2005137753.tif 000003
【図２】
2005137753.tif 000004
【図３】
2005137753.tif 000005
【図４】
2005137753.tif 000006
【図５】
2005137753.tif 000007
【図６】
2005137753.tif 000008
【図７】
2005137753.tif 000009
【図８】
2005137753.tif 000010